(57)【要約】【課題】大容量、高耐圧および高Ｑを総合的に満たす可変容量コンデンサを提供する。【解決手段】第１内部電極２１１、第２内部電極２１２および第４内部電極２３６〜２３９は同一の層に配置され、第３内部電極２３１〜２３５は別の層に配置されている。第１内部電極２１１と第３内部電極２３１との間に第１固定容量部Ｃ１が形成され、第２内部電極２１２と第３内部電極２３５との間に第２固定容量部Ｃ１０が形成されている。コンデンサ本体１１０の長さ方向に沿って、第３内部電極と第４内部電極との間において、可変容量部Ｃ２〜Ｃ９が並設して形成され、第１固定容量部Ｃ１、可変容量部Ｃ２〜Ｃ９および第２固定容量部Ｃ１０が、電気的に直列接続されている。積層方向から見て、第３内部電極および第４内部電極は、同一の層に位置している第１内部電極から第４内部電極のうちの隣接する一組の内部電極間に形成されるギャップ領域を覆うように配置されている。【選択図】図２
2018022780.tif 000002
【特許請求の範囲】
【請求項１】
誘電体層を複数積層して、積層方向に相対する第１主面および第２主面と、前記積層方向に直交する幅方向に相対する第１側面および第２側面と、前記積層方向および前記幅方向に直交する長さ方向に相対する第１端面および第２端面とを有するコンデンサ本体と、
前記コンデンサ本体内部に配置され、第１対向部と、前記第１対向部から前記コンデンサ本体の前記第１端面に引出された第１引出し部とを有する第１内部電極と、
前記コンデンサ本体内部に配置され、第２対向部と、前記第２対向部から前記コンデンサ本体の前記第２端面に引出された第２引出し部とを有する第２内部電極と、
前記コンデンサ本体内部に配置され、第３対向部と、前記第３対向部から前記コンデンサ本体の前記第１側面に引出された第３引出し部とを有する、二つ以上の相互に独立した第３内部電極と、
前記コンデンサ本体内部に配置され、第４対向部と、前記第４対向部から前記コンデンサ本体の前記第２側面に引出された第４引出し部とを有する、二つ以上の相互に独立した第４内部電極と、
前記コンデンサ本体の前記第１端面上に配置され、前記第１内部電極と電気的に接続された第１可変容量取り出し用外部電極と、
前記コンデンサ本体の前記第２端面上に配置され、前記第２内部電極と電気的に接続された第２可変容量取り出し用外部電極と、
前記コンデンサ本体の前記第１側面上に配置され、前記第３内部電極と電気的に接続された、二つ以上からなる第１容量制御用外部電極と、
前記コンデンサ本体の前記第２側面上に配置され、前記第４内部電極と電気的に接続された二つ以上からなる第２容量制御用外部電極と、を備え、
前記第１内部電極、前記第２内部電極および前記第４内部電極は、同一の層に配置され、
前記第３内部電極は、前記第１内部電極、前記第２内部電極および前記第４内部電極が配置された層とは異なる層に配置され、
前記第１内部電極の前記第１対向部と前記第３内部電極の前記第３対向部との間において第１固定容量部が形成され、
前記第２内部電極の前記第２対向部と、前記第１固定容量部を形成する前記第３内部電極とは異なる前記第３内部電極の前記第３対向部との間において第２固定容量部が形成され、
前記コンデンサ本体の前記第１端面と前記第２端面とを結ぶ長さ方向に沿って、前記第３内部電極の前記第３対向部と前記第４内部電極の前記第４対向部との間において、二つ以上の可変容量部が並設され、
前記第１固定容量部、前記可変容量部および前記第２固定容量部が、電気的に直列接続されており、
前記可変容量部は、前記コンデンサ本体の積層方向に沿って二つ以上の単位容量を有し、
前記積層方向から見て、前記第３内部電極および前記第４内部電極は、それぞれ同一の層に位置している前記第１内部電極から前記第４内部電極のうちの隣接する一組の内部電極間に形成されるギャップ領域を覆うように配置されていること、
を特徴とする可変容量コンデンサ。
【請求項２】
誘電体層を複数積層して、積層方向に相対する第１主面および第２主面と、前記積層方向に直交する幅方向に相対する第１側面および第２側面と、前記積層方向および前記幅方向に直交する長さ方向に相対する第１端面および第２端面とを有するコンデンサ本体と、
前記コンデンサ本体内部に配置され、第１対向部と、前記第１対向部から前記コンデンサ本体の前記第１端面に引出された第１引出し部とを有する第１内部電極と、
前記コンデンサ本体内部に配置され、第２対向部と、前記第２対向部から前記コンデンサ本体の前記第２端面に引出された第２引出し部とを有する第２内部電極と、
前記コンデンサ本体内部に配置され、第３対向部と、前記第３対向部から前記コンデンサ本体の前記第１側面に引出された第３引出し部とを有する、二つ以上の相互に独立した第３内部電極と、
前記コンデンサ本体内部に配置され、第４対向部と、前記第４対向部から前記コンデンサ本体の前記第２側面に引出された第４引出し部とを有する、二つ以上の相互に独立した第４内部電極と、
前記コンデンサ本体の前記第１端面上に配置され、前記第１内部電極と電気的に接続された第１可変容量取り出し用外部電極と、
前記コンデンサ本体の前記第２端面上に配置され、前記第２内部電極と電気的に接続された第２可変容量取り出し用外部電極と、
前記コンデンサ本体の前記第１側面上に配置され、前記第３内部電極と電気的に接続された、二つ以上からなる第１容量制御用外部電極と、
前記コンデンサ本体の前記第２側面上に配置され、前記第４内部電極と電気的に接続された二つ以上からなる第２容量制御用外部電極と、を備え、
前記第１内部電極および前記第４内部電極は、同一の層に配置され、
前記第２内部電極および前記第３内部電極は、前記第１内部電極および前記第４内部電極が配置された層とは異なる同一の層に配置され、
前記第１内部電極の前記第１対向部と前記第３内部電極の前記第３対向部との間において第１固定容量部が形成され、
前記第２内部電極の前記第２対向部と前記第４内部電極の前記第４対向部との間において第２固定容量部が形成され、
前記コンデンサ本体の前記第１端面と前記第２端面とを結ぶ長さ方向に沿って、前記第３内部電極の前記第３対向部と前記第４内部電極の前記第４対向部との間において、二つ以上の可変容量部が並設され、
前記第１固定容量部、前記可変容量部および前記第２固定容量部が、電気的に直列接続されており、
前記可変容量部は、前記コンデンサ本体の積層方向に沿って二つ以上の単位静電容量を有し、
前記積層方向から見て、前記第３内部電極および前記第４内部電極は、それぞれ同一の層に位置している前記第１内部電極から前記第４内部電極のうちの隣接する一組の内部電極間に形成されるギャップ領域を覆うように配置されていること、
を特徴とする可変容量コンデンサ。
【請求項３】
前記第１可変容量取り出し用外部電極には第１金属端子が電気的に接続され、前記第２可変容量取り出し用外部電極には第２金属端子が電気的に接続されていることを特徴とする、請求項１または請求項２に記載の可変容量コンデンサ。
【請求項４】
二つ以上の前記第１容量制御用外部電極にはそれぞれに独立した第３金属端子が電気的に接続され、二つ以上の前記第２容量制御用外部電極にはそれぞれに独立した第４金属端子が電気的に接続されていることを特徴とする、請求項１ないし請求項３のいずれかに記載の可変容量コンデンサ。
【請求項５】
前記第１固定容量部の容量が、前記可変容量部の容量に対して１．８倍以上であり、前記第２固定容量部の容量が、前記可変容量部の容量に対して１．８倍以上であることを特徴とする、請求項１ないし請求項４のいずれかに記載の可変容量コンデンサ。
【発明の詳細な説明】
【技術分野】
【０００１】
本発明は、可変容量コンデンサに関する。
【背景技術】
【０００２】
電子機器においては、ＬＣ共振回路の共振周波数を合わせるために、コンデンサの静電容量（Ｃ）やインダクタのインダクタンス（Ｌ）を変化させて調整することが求められる。
【０００３】
従来、静電容量が変化可能な可変容量コンデンサとして、特許文献１に記載される可変容量コンデンサが提案されている。特許文献１の可変容量コンデンサは、回路構成として、複数の直列接続されたコンデンサと、前記各コンデンサに互い違いに信号ラインのバイアス電圧を印加する抵抗とを具備している。また、特許文献１の可変容量コンデンサは、薄膜法により製造されている。
【先行技術文献】
【特許文献】
【０００４】
【特許文献１】特開２００５−７９１６８号公報
【発明の概要】
【発明が解決しようとする課題】
【０００５】
しかしながら、特許文献１の可変容量コンデンサの構造および製法は、大容量、高耐圧および高Ｑを総合的に満たす可変容量コンデンサを得ることは困難であった。
【０００６】
理由としては、薄膜法では、高電圧に耐えられる十分な厚みの誘電体を形成することが困難であるからである。また、十分な厚みの誘電体が形成できたとしても、十分な静電容量を確保するためには大きな面積が必要となり、電子機器中で可変容量コンデンサに許される寸法に収まらないからである。また、大きな面積となった場合、必然的に電流経路が長くなるため、Ｑが低くなってしまうからである。
【０００７】
また、大容量かつ高Ｑを実現する方法としては、多層化が考えられるけれども、薄膜法で積層できる枚数は現実的には非常に少なく、また高耐圧な欠陥のない厚い誘電体膜を形成することができないため、必要とする大容量、高耐圧および高Ｑの性能を満たす可変容量コンデンサは得られない。
【０００８】
本発明は、上記の問題点に鑑みてなされたものであり、大容量、高耐圧および高Ｑを総合的に満たす可変容量コンデンサを提供することを目的とする。
【課題を解決するための手段】
【０００９】
本発明に係る可変容量コンデンサは、誘電体層を複数積層して、積層方向に相対する第１主面および第２主面と、積層方向に直交する幅方向に相対する第１側面および第２側面と、積層方向および幅方向に直交する長さ方向に相対する第１端面および第２端面とを有するコンデンサ本体と、コンデンサ本体内部に配置され、第１対向部と、第１対向部からコンデンサ本体の第１端面に引出された第１引出し部とを有する第１内部電極と、コンデンサ本体内部に配置され、第２対向部と、第２対向部からコンデンサ本体の第２端面に引出された第２引出し部とを有する第２内部電極と、コンデンサ本体内部に配置され、第３対向部と、第３対向部からコンデンサ本体の第１側面に引出された第３引出し部とを有する、二つ以上の相互に独立した第３内部電極と、コンデンサ本体内部に配置され、第４対向部と、第４対向部からコンデンサ本体の第２側面に引出された第４引出し部とを有する、二つ以上の相互に独立した第４内部電極と、コンデンサ本体の第１端面上に配置され、第１内部電極と電気的に接続された第１可変容量取り出し用外部電極と、コンデンサ本体の第２端面上に配置され、第２内部電極と電気的に接続された第２可変容量取り出し用外部電極と、コンデンサ本体の第１側面上に配置され、第３内部電極と電気的に接続された、二つ以上からなる第１容量制御用外部電極と、コンデンサ本体の第２側面上に配置され、第４内部電極と電気的に接続された二つ以上からなる第２容量制御用外部電極と、を備え、第１内部電極、第２内部電極および第４内部電極は、同一の層に配置され、第３内部電極は、第１内部電極、第２内部電極および第４内部電極が配置された層とは異なる層に配置され、第１内部電極の第１対向部と第３内部電極の第３対向部との間において第１固定容量部が形成され、第２内部電極の第２対向部と、第１固定容量部を形成する第３内部電極とは異なる第３内部電極の第３対向部との間において第２固定容量部が形成され、コンデンサ本体の第１端面と第２端面とを結ぶ長さ方向に沿って、第３内部電極の第３対向部と第４内部電極の第４対向部との間において、二つ以上の可変容量部が並設され、第１固定容量部の静電容量、可変容量部の静電容量および第２固定容量部の静電容量が、電気的に直列接続されており、可変容量部は、コンデンサ本体の積層方向に沿って二つ以上の単位静電容量を有し、積層方向から見て、第３内部電極および第４内部電極は、それぞれ同一の層に位置している第１内部電極から第４内部電極のうちの隣接する一組の内部電極間に形成されるギャップ領域を覆うように配置されていること、を特徴とする可変容量コンデンサである。
【００１０】
本発明に係る可変容量コンデンサは、誘電体層を複数積層して、積層方向に相対する第１主面および第２主面と、積層方向に直交する幅方向に相対する第１側面および第２側面と、積層方向および幅方向に直交する長さ方向に相対する第１端面および第２端面とを有するコンデンサ本体と、コンデンサ本体内部に配置され、第１対向部と、第１対向部からコンデンサ本体の第１端面に引出された第１引出し部とを有する第１内部電極と、コンデンサ本体内部に配置され、第２対向部と、第２対向部からコンデンサ本体の第２端面に引出された第２引出し部とを有する第２内部電極と、コンデンサ本体内部に配置され、第３対向部と、第３対向部からコンデンサ本体の第１側面に引出された第３引出し部とを有する、二つ以上の相互に独立した第３内部電極と、コンデンサ本体内部に配置され、第４対向部と、第４対向部からコンデンサ本体の第２側面に引出された第４引出し部とを有する、二つ以上の相互に独立した第４内部電極と、コンデンサ本体の第１端面上に配置され、第１内部電極と電気的に接続された第１可変容量取り出し用外部電極と、コンデンサ本体の第２端面上に配置され、第２内部電極と電気的に接続された第２可変容量取り出し用外部電極と、コンデンサ本体の第１側面上に配置され、第３内部電極と電気的に接続された、二つ以上からなる第１容量制御用外部電極と、コンデンサ本体の第２側面上に配置され、第４内部電極と電気的に接続された二つ以上からなる第２容量制御用外部電極と、を備え、第１内部電極および第４内部電極は、同一の層に配置され、第２内部電極および第３内部電極は、第１内部電極および第４内部電極が配置された層とは異なる同一の層に配置され、第１内部電極の第１対向部と第３内部電極の第３対向部との間において第１固定容量部が形成され、第２内部電極の第２対向部と第４内部電極の第４対向部との間において第２固定容量部が形成され、コンデンサ本体の第１端面と第２端面とを結ぶ長さ方向に沿って、第３内部電極の第３対向部と第４内部電極の第４対向部との間において、二つ以上の可変容量部が並設され、第１固定容量部の静電容量、可変容量部の静電容量および第２固定容量部の静電容量が、電気的に直列接続されており、可変容量部は、コンデンサ本体の積層方向に沿って二つ以上の単位静電容量を有し、積層方向から見て、第３内部電極および第４内部電極は、それぞれ同一の層に位置している第１内部電極から第４内部電極のうちの隣接する一組の内部電極間に形成されるギャップ領域を覆うように配置されていること、を特徴とする可変容量コンデンサである。
【００１１】
また、本発明に係る可変容量コンデンサでは、第１可変容量取り出し用外部電極には第１金属端子が電気的に接続され、第２可変容量取り出し用外部電極には第２金属端子が電気的に接続されていることが好ましい。
【００１２】
また、本発明に係る可変容量コンデンサでは、二つ以上の第１容量制御用外部電極にはそれぞれに独立した第３金属端子が電気的に接続され、二つ以上の第２容量制御用外部電極にはそれぞれに独立した第４金属端子が電気的に接続されていることが好ましい。
【００１３】
また、本発明に係る可変容量コンデンサでは、第１固定容量部の容量が、可変容量部の静電容量に対して１．８倍以上であり、第２固定容量部の容量が、可変容量部の静電容量に対して１．８倍以上であることが好ましい。
【発明の効果】
【００１４】
本発明によれば、大容量、高耐圧および高Ｑを総合的に満たす可変容量コンデンサが得られる。
【図面の簡単な説明】
【００１５】
【図１】本発明の第１の実施の形態に係る可変容量コンデンサの外観を示す斜視図である。
【図２】第１の実施の形態に係る可変容量コンデンサの断面図であって、図１のＩＩ−ＩＩ線矢印方向から見た図である。
【図３】第１の実施の形態に係る可変容量コンデンサの断面図であって、図２のＩＩＩ−ＩＩＩ線矢印方向から見た図である。
【図４】第１の実施の形態に係る可変容量コンデンサの断面図であって、図２のＩＶ−ＩＶ線矢印方向から見た図である。
【図５】第１の実施の形態に係る可変容量コンデンサに金属端子を取り付けた状態を示す斜視図である。
【図６】第１の実施の形態に係る可変容量コンデンサの製造方法を示すフローチャートである。
【図７】第１の実施の形態に係る可変容量コンデンサの製造方法を示す平面図である。
【図８】第１の実施の形態に係る可変容量コンデンサの製造方法を示す平面図である。
【図９】第１の実施の形態に係る可変容量コンデンサの製造方法を示す平面透視図である。
【図１０】第１の実施の形態に係る可変容量コンデンサが回路基板に実装された状態を示す斜視図である。
【図１１】第１の実施の形態に係る可変容量コンデンサが回路基板に実装された状態の等価回路を示す図である。
【図１２】本発明の第２の実施の形態に係る可変容量コンデンサの外観を示す斜視図である。
【図１３】第２の実施の形態に係る可変容量コンデンサの断面図であって、図１２のＸＩＩＩ−ＸＩＩＩ線矢印方向から見た図である。
【図１４】第２の実施の形態に係る可変容量コンデンサの断面図であって、図１３のＸＩＶ−ＸＩＶ線矢印方向から見た図である。
【図１５】第２の実施の形態に係る可変容量コンデンサの断面図であって、図１３のＸＶ−ＸＶ線矢印方向から見た図である。
【図１６】第２の実施の形態に係る可変容量コンデンサに金属端子を取り付けた状態を示す斜視図である。
【図１７】第２の実施の形態に係る可変容量コンデンサが回路基板に実装された状態を示す斜視図である。
【図１８】第２の実施の形態に係る可変容量コンデンサが回路基板に実装された状態の等価回路を示す図である。
【発明を実施するための形態】
【００１６】
以下、本発明の各実施形態に係る可変容量コンデンサについて、図を参照して詳細に説明する。なお、以下に示す実施形態においては、同一のまたは相当する部分について図中同一の符号を付し、その説明は繰り返さない。
【００１７】
（第１の実施の形態）
図１は、本発明の第１の実施の形態に係る可変容量コンデンサの外観を示す斜視図である。図２は、本発明の第１の実施の形態に係る可変容量コンデンサの断面図であって、図１のＩＩ−ＩＩ線矢印方向から見た図である。図３は、本発明の第１の実施の形態に係る可変容量コンデンサの断面図であって、図２のＩＩＩ−ＩＩＩ線矢印方向から見た図である。図４は、本発明の第１の実施の形態に係る可変容量コンデンサの断面図であって、図２のＩＶ−ＩＶ線矢印方向から見た図である。
【００１８】
図１に示すように、本発明の第１の実施の形態に係る可変容量コンデンサ１００は、直方体形状を有し、後述する長さ方向Ｌの寸法が後述する幅方向Ｗの寸法より大きい。直方体形状には、可変容量コンデンサ１００の角部および稜部に丸みが付けられたもの、および可変容量コンデンサ１００の表面に段差または凹凸が設けられたものなどが含まれる。
【００１９】
図１ないし図４に示すように、可変容量コンデンサ１００は、たとえば積層セラミックコンデンサからなるコンデンサ本体１１０を備えている。コンデンサ本体１１０は、複数の誘電体層の積層方向に相対する第１主面１０１および第２主面１０２と、積層方向に直交する幅方向Ｗに相対する第１側面１０３および第２側面１０４と、積層方向および幅方向Ｗに直交する長さ方向Ｌに相対する第１端面１０５および第２端面１０６とを有している。
【００２０】
さらに、可変容量コンデンサ１００は、コンデンサ本体１１０の第１側面１０３の表面に、二つ以上の第１容量制御用外部電極、すなわち第１容量制御用外部電極１３１、第１容量制御用外部電極１３２、第１容量制御用外部電極１３３、第１容量制御用外部電極１３４および第１容量制御用外部電極１３５（以下、第１容量制御用外部電極群とも称する）を備えている。そして、第２側面１０４の表面には、二つ以上の第２容量制御用外部電極、すなわち第２容量制御用外部電極１３６、第２容量制御用外部電極１３７、第２容量制御用外部電極１３８および第２容量制御用外部電極１３９（以下、第２容量制御用外部電極群とも称する）が備えられている。さらに、コンデンサ本体１１０の第１端面１０５の表面には、第１可変容量取り出し用外部電極１２１が備えられ、第２端面１０６の表面には、第２可変容量取り出し用外部電極１２２が備えられている。
【００２１】
ここで、コンデンサ本体１１０の誘電体層の積み重ね方向を積層方向Ｈとして定義し、当該積層方向Ｈと直交する方向のうち、可変容量コンデンサ１００の二つ以上からなる第１容量制御用外部電極群が並ぶ方向および二つ以上からなる第２容量制御用外部電極群が並ぶ方向をコンデンサ本体１１０の長さ方向Ｌとして定義し、上記積層方向Ｈおよび上記長さ方向Ｌのいずれにも直交する方向をコンデンサ本体１１０の幅方向Ｗとして定義し、以下の説明においては、これら用語を使用する。
【００２２】
コンデンサ本体１１０は、交互に積層された複数の誘電体層１４０および複数の内部電極にて構成されている。コンデンサ本体１１０は、直方体形状を有している。複数の誘電体層１４０および複数の内部電極の積層方向Ｈは、高さ方向に合致している。
【００２３】
コンデンサ本体１１０は、同一の層に配置されている１組の第１内部電極２１１と二つ以上の第４内部電極と第２内部電極２１２、並びに、前記１組の第１内部電極２１１と第２内部電極２１２と二つ以上の第４内部電極とは異なる層でかつ同一の層の位置に配置されている１組の二つ以上の第３内部電極を含む。二つ以上の第４内部電極は、第１の実施の形態の場合、第４内部電極２３６と第４内部電極２３７と第４内部電極２３８と第４内部電極２３９とである（以下、第４内部電極群とも称する）。二つ以上の第３内部電極は、第１の実施の形態１の場合、第３内部電極２３１と第３内部電極２３２と第３内部電極２３３と第３内部電極２３４と第３内部電極２３５とである（以下、第３内部電極群とも称する）。
【００２４】
図３に示すように、同一の層に配置されている１組の第１内部電極２１１と第４内部電極２３６と第４内部電極２３７と第４内部電極２３８と第４内部電極２３９と第２内部電極２１２とは、コンデンサ本体１１０の第１端面１０５から第２端面１０６に向かって、つまりコンデンサ本体１１０の長さ方向Ｌに向かって並設され、隣接する内部電極間にはギャップ領域Ｓ１が形成されている。
【００２５】
第１内部電極２１１は、積層方向Ｈから見て、矩形状の第１対向部２１１ａと、第１対向部２１１ａからコンデンサ本体１１０の第１端面１０５に引出された第１引出し部２１１ｂとを有している。
【００２６】
第４内部電極２３６は、積層方向Ｈから見て、第１内部電極２１１の第１対向部２１１ａからギャップ領域Ｓ１を置いて配置された矩形状の第４対向部２３６ａと、第４対向部２３６ａからコンデンサ本体１１０の第２側面１０４に引出された第４引出し部２３６ｂとを有している。
【００２７】
第４内部電極２３７は、積層方向Ｈから見て、第４内部電極２３６の第４対向部２３６ａからギャップ領域Ｓ１を置いて配置された矩形状の第４対向部２３７ａと、第４対向部２３７ａからコンデンサ本体１１０の第２側面１０４に引出された第４引出し部２３７ｂとを有している。
【００２８】
第４内部電極２３８は、積層方向Ｈから見て、第４内部電極２３７の第４対向部２３７ａからギャップ領域Ｓ１を置いて配置された矩形状の第４対向部２３８ａと、第４対向部２３８ａからコンデンサ本体１１０の第２側面１０４に引出された第４引出し部２３８ｂとを有している。
【００２９】
第４内部電極２３９は、積層方向Ｈから見て、第４内部電極２３８の第４対向部２３８ａからギャップ領域Ｓ１を置いて配置された矩形状の第４対向部２３９ａと、第４対向部２３９ａからコンデンサ本体１１０の第２側面１０４に引出された第４引出し部２３９ｂとを有している。
【００３０】
第２内部電極２１２は、積層方向Ｈから見て、第４内部電極２３９の第４対向部２３９ａからギャップ領域Ｓ１を置いて配置された矩形状の第２対向部２１２ａと、第２対向部２１２ａからコンデンサ本体１１０の第２端面１０６に引出された第２引出し部２１２ｂとを有している。
【００３１】
第４内部電極２３６と第４内部電極２３７と第４内部電極２３８と第４内部電極２３９とは相互に独立していると共に、第１内部電極２１１や第２内部電極２１２とも相互に独立している。
【００３２】
第１内部電極２１１の第１対向部２１１ａと第２内部電極２１２の第２対向部２１２ａとは、面積が略等しく、かつ、第４内部電極２３６の第４対向部２３６ａと第４内部電極２３７の第４対向部２３７ａと第４内部電極２３８の第４対向部２３８ａと第４内部電極２３９の第４対向部２３９ａのそれぞれの面積より大きく設計されている。
【００３３】
また、図４に示すように、同一の層に配置されている１組の第３内部電極２３１と第３内部電極２３２と第３内部電極２３３と第３内部電極２３４と第３内部電極２３５とは、コンデンサ本体１１０の第１端面１０５から第２端面１０６に向かって、つまりコンデンサ本体１１０の長さ方向Ｌに向かって並設され、隣接する内部電極間にはギャップ領域Ｓ２が形成されている。
【００３４】
第３内部電極２３１は、積層方向Ｈから見て、コンデンサ本体１１０の第１端面１０５から所定の間隔をあけて矩形状の第３対向部２３１ａと、第３対向部２３１ａからコンデンサ本体１１０の第１側面１０３に引出された第３引出し部２３１ｂとを有している。
【００３５】
第３内部電極２３２は、積層方向Ｈから見て、第３内部電極２３１の第３対向部２３１ａからギャップ領域Ｓ２を置いて配置された矩形状の第３対向部２３２ａと、第３対向部２３２ａからコンデンサ本体１１０の第１側面１０３に引出された第３引出し部２３２ｂとを有している。
【００３６】
第３内部電極２３３は、積層方向Ｈから見て、第３内部電極２３２の第３対向部２３２ａからギャップ領域Ｓ２を置いて配置された矩形状の第３対向部２３３ａと、第３対向部２３３ａからコンデンサ本体１１０の第１側面１０３に引出された第３引出し部２３３ｂとを有している。
【００３７】
第３内部電極２３４は、積層方向Ｈから見て、第３内部電極２３３の第３対向部２３３ａからギャップ領域Ｓ２を置いて配置された矩形状の第３対向部２３４ａと、第３対向部２３４ａからコンデンサ本体１１０の第１側面１０３に引出された第３引出し部２３４ｂとを有している。
【００３８】
第３内部電極２３５は、積層方向Ｈから見て、第３内部電極２３４の第３対向部２３４ａからギャップ領域Ｓ２を置いて配置された矩形状の第３対向部２３５ａと、第３対向部２３５ａからコンデンサ本体１１０の第１側面１０３に引出された第３引出し部２３５ｂとを有している。第３対向部２３５ａは、コンデンサ本体１１０の第２端面１０６から所定の間隔をあけて配置されている。
【００３９】
第３内部電極２３１と第３内部電極２３２と第３内部電極２３３と第３内部電極２３４と第３内部電極２３５とは相互に独立している。
【００４０】
コンデンサ本体１１０の長さ方向Ｌの両側に位置している第３内部電極２３１の第３対向部２３１ａと第３内部電極２３５の第３対向部２３５ａとは、面積が略等しく、かつ、第３内部電極２３２の第３対向部２３２ａと第３内部電極２３３の第３対向部２３３ａと第３内部電極２３４の第３対向部２３４ａのそれぞれの面積より大きく設計されている。
【００４１】
第３内部電極２３１の第３対向部２３１ａと第３内部電極２３５の第３対向部２３５ａと第１内部電極２１１の第１対向部２１１ａと第２内部電極２１２の第２対向部２１２ａのそれぞれの面積は、略等しく設計されている。第３内部電極２３２の第３対向部２３２ａと第３内部電極２３３の第３対向部２３３ａと第３内部電極２３４の第３対向部２３４ａと第４内部電極２３６の第４対向部２３６ａと第４内部電極２３７の第４対向部２３７ａと第４内部電極２３８の第４対向部２３８ａと第４内部電極２３９の第４対向部２３９ａのそれぞれの面積は、略等しく設計されている。
【００４２】
図２に示すように、同一の層に配置されている１組の第１内部電極２１１と二つ以上の第４内部電極群と第２内部電極２１２は、同一の層に配置されている１組の二つ以上の第３内部電極群に誘電体層１４０を挟んで対向して重なり合っている。
【００４３】
第１内部電極２１１の第１対向部２１１ａと、第１対向部２１１ａに誘電体層１４０を挟んで対向している第３内部電極２３１の第３対向部２３１ａとの間には、第１固定容量部Ｃ１が形成されている。第２内部電極２１２の第２対向部２１２ａと、第２対向部２１２ａに誘電体層１４０を挟んで対向している第３内部電極２３５の第３対向部２３５ａとの間において第２固定容量部Ｃ１０が形成されている。
【００４４】
コンデンサ本体１１０の第１端面１０５と第２端面１０６とを結ぶ長さ方向Ｌに沿って、誘電体層１４０を挟んで対向している第３内部電極群の第３対向部と第４内部電極群の第４対向部との間において、二つ以上の可変容量部が並設して形成されている。
【００４５】
すなわち、第３内部電極２３１の第３対向部２３１ａと第４内部電極２３６の第４対向部２３６ａとの間において可変容量部Ｃ２が形成されている。第４内部電極２３６の第４対向部２３６ａと第３内部電極２３２の第３対向部２３２ａとの間において可変容量部Ｃ３が形成されている。第３内部電極２３２の第３対向部２３２ａと第４内部電極２３７の第４対向部２３７ａとの間において可変容量部Ｃ４が形成されている。第４内部電極２３７の第４対向部２３７ａと第３内部電極２３３の第３対向部２３３ａとの間において可変容量部Ｃ５が形成されている。第３内部電極２３３の第３対向部２３３ａと第４内部電極２３８の第４対向部２３８ａとの間において可変容量部Ｃ６が形成されている。第４内部電極２３８の第４対向部２３８ａと第３内部電極２３４の第３対向部２３４ａとの間において可変容量部Ｃ７が形成されている。第３内部電極２３４の第３対向部２３４ａと第４内部電極２３９の第４対向部２３９ａとの間において可変容量部Ｃ８が形成されている。第４内部電極２３９の第４対向部２３９ａと第３内部電極２３５の第３対向部２３５ａとの間において可変容量部Ｃ９が形成されている。
【００４６】
そして、第１固定容量部Ｃ１の容量は、第１内部電極２１１の第１対向部２１１ａの面積と、第１対向部２１１ａに誘電体層１４０を挟んで対向している第３内部電極２３１の第３対向部２３１ａの面積とが大きいため、可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９のそれぞれの容量より大きい。また、第２固定容量部Ｃ１０の容量は、第２内部電極２１２の第２対向部２１２ａの面積と、第２対向部２１２ａに誘電体層１４０を挟んで対向している第３内部電極２３５の第３対向部２３５ａの面積とが大きいため、可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９のそれぞれの容量より大きい。
【００４７】
そして、コンデンサ本体１１０の第１端面１０５から第２端面１０６に向かって、つまりコンデンサ本体１１０の長さ方向Ｌに向かって、第１固定容量部Ｃ１、可変容量部Ｃ２、可変容量部Ｃ３、可変容量部Ｃ４、可変容量部Ｃ５、可変容量部Ｃ６、可変容量部Ｃ７、可変容量部Ｃ８、可変容量部Ｃ９および第２固定容量部Ｃ１０が、順に電気的に直列接続されている。
【００４８】
また、図２に示すように、可変容量部は、コンデンサ本体１１０の第１主面１０１から第２主面１０２に向かって、つまり、コンデンサ本体１１０の積層方向Ｈに沿って二つ以上の単位容量を有している。
【００４９】
例えば、コンデンサ本体１１０の第１主面１０１から第２主面１０２に向かって、内部電極の層を第１内部電極層、第２内部電極層、第３内部電極層、第４内部電極層および第５内部電極層と定義する。
【００５０】
このとき、例えば、可変容量部Ｃ２は、第２内部電極層に位置している第３内部電極２３１の第３対向部２３１ａが、第１内部電極層に位置している第４内部電極２３６の第４対向部２３６ａとの間に形成されている第１単位容量および第３内部電極層に位置している第４内部電極２３６の第４対向部２３６ａとの間に形成されている第２単位容量と、第４内部電極層に位置している第３内部電極２３１の第３対向部２３１ａが、第３内部電極層に位置している第４内部電極２３６の第４対向部２３６ａとの間に形成されている第３単位容量および第５内部電極層に位置している第４内部電極２３６の第４対向部２３６ａとの間に形成されている第４単位容量とを有している。従って、可変容量部Ｃ２は、第１単位容量と第２単位容量と第３単位容量と第４単位容量とを合計した容量となる。その他の可変容量部Ｃ３、可変容量部Ｃ４、可変容量部Ｃ５、可変容量部Ｃ６、可変容量部Ｃ７、可変容量部Ｃ８および可変容量部Ｃ９も同様である。
【００５１】
また、コンデンサ本体１１０の積層方向Ｈから見て、第３内部電極群は、同一の層に位置している第１内部電極２１１、第４内部電極群および第２内部電極２１２のうちの隣接する一組の内部電極の対向部間に形成されているギャップ領域Ｓ１を覆うように配置されている。
【００５２】
つまり、第３内部電極２３１は、同一の誘電体層１４０上で隣接する第１内部電極２１１の第１対向部２１１ａと第４内部電極２３６の第４対向部２３６ａとの間に形成されているギャップ領域Ｓ１を覆うように配置されている。第３内部電極２３２は、同一の誘電体層１４０上で隣接する第４内部電極２３６の第４対向部２３６ａと第４内部電極２３７の第４対向部２３７ａとの間に形成されているギャップ領域Ｓ１を覆うように配置されている。第３内部電極２３３は、同一の誘電体層１４０上で隣接する第４内部電極２３７の第４対向部２３７ａと第４内部電極２３８の第４対向部２３８ａとの間に形成されているギャップ領域Ｓ１を覆うように配置されている。第３内部電極２３４は、同一の誘電体層１４０上で隣接する第４内部電極２３８の第４対向部２３８ａと第４内部電極２３９の第４対向部２３９ａとの間に形成されているギャップ領域Ｓ１を覆うように配置されている。第３内部電極２３５は、同一の誘電体層１４０上で隣接する第２内部電極２１２の第２対向部２１２ａと第４内部電極２３９の第４対向部２３９ａとの間に形成されているギャップ領域Ｓ１を覆うように配置されている。
【００５３】
また、コンデンサ本体１１０の積層方向Ｈから見て、第４内部電極群は、同一の誘電体層１４０上に位置している第３内部電極群のうちの隣接する一組の第３内部電極の対向部間に形成されているギャップ領域Ｓ２を覆うように配置されている。
【００５４】
つまり、第４内部電極２３６は、同一の誘電体層１４０上で隣接する第３内部電極２３１の第３対向部２３１ａと第３内部電極２３２の第３対向部２３２ａとの間に形成されているギャップ領域Ｓ２を覆うように配置されている。第４内部電極２３７は、同一の誘電体層１４０上で隣接する第３内部電極２３２の第３対向部２３２ａと第３内部電極２３３の第３対向部２３３ａとの間に形成されているギャップ領域Ｓ２を覆うように配置されている。第４内部電極２３８は、同一の誘電体層１４０上で隣接する第３内部電極２３３の第３対向部２３３ａと第３内部電極２３４の第３対向部２３４ａとの間に形成されているギャップ領域Ｓ２を覆うように配置されている。第４内部電極２３９は、同一の誘電体層１４０上で隣接する第３内部電極２３４の第３対向部２３４ａと第３内部電極２３５の第３対向部２３５ａとの間に形成されているギャップ領域Ｓ２を覆うように配置されている。
【００５５】
誘電体層１４０は、たとえばチタン酸バリウム（ＢａＴｉＯ3）、チタン酸カルシウム（ＣａＴｉＯ3）、チタン酸ストロンチウム（ＳｒＴｉＯ3）、または、ジルコン酸カルシウム（ＣａＺｒＯ3）などを主成分とするセラミック材料にて形成されている。また、誘電体層１４０は、副成分として、Ｍｎ化合物、Ｍｇ化合物、Ｓｉ化合物、Ｃｏ化合物、Ｎｉ化合物、および、希土類化合物などを含んでいてもよい。そのほか、ＰＺＴ系セラミックなどの圧電体セラミック、スピネル系セラミックなどの半導体セラミックなどを用いることもできるが、容量を大きく可変させるためには、誘電率が十分なＤＣバイアス特性を持つ強誘電体や反強誘電体となることが好ましい。誘電体層１４０の厚みは０．５μｍ以上１０μｍ以下であることが好ましい。
【００５６】
第１内部電極２１１、第２内部電極２１２、二つ以上の第３内部電極２３１等および二つ以上の第４内部電極２３６等の各々は、たとえば、Ｎｉ、Ｃｕ、Ａｇ、Ｐｄ、Ａｕ、または、Ａｇ−Ｐｄ合金などの金属材料にて形成されている。第１内部電極２１１、第２内部電極２１２、二つ以上の第３内部電極２３１等および二つ以上の第４内部電極２３６等の各々の厚みは、０．３μｍ以上２．０μｍ以下であることが好ましい。
【００５７】
第１可変容量取り出し用外部電極１２１は、コンデンサ本体１１０の第１端面１０５上に配置されている。第２可変容量取り出し用外部電極１２２は、コンデンサ本体１１０の第２端面１０６上に配置されている。第１可変容量取り出し用外部電極１２１および第２可変容量取り出し用外部電極１２２は、コンデンサ本体１１０の長さ方向Ｌにおいて互いに離隔している。
【００５８】
二つ以上からなる第１容量制御用外部電極１３１、第１容量制御用外部電極１３２、第１容量制御用外部電極１３３、第１容量制御用外部電極１３４および第１容量制御用外部電極１３５は、長さ方向Ｌにおいて、第１可変容量取り出し用外部電極１２１および第２可変容量取り出し用外部電極１２２の間に位置し、コンデンサ本体１１０の第１側面１０３上に配置されている。これらの第１容量制御用外部電極群は、コンデンサ本体１１０の第１側面１０３の側において、長さ方向Ｌに互いに等間隔に離隔している。
【００５９】
二つ以上からなる第２容量制御用外部電極１３６、第２容量制御用外部電極１３７、第２容量制御用外部電極１３８および第２容量制御用外部電極１３９は、長さ方向Ｌにおいて、第１可変容量取り出し用外部電極１２１および第２可変容量取り出し用外部電極１２２の間に位置し、コンデンサ本体１１０の第２側面１０４上に配置されている。これらの第２容量制御用外部電極群は、コンデンサ本体１１０の第２側面１０４の側において、長さ方向Ｌに互いに等間隔に離隔している。第１容量制御用外部電極群および第２容量制御用外部電極群は、コンデンサ本体１１０の幅方向Ｗにおいて互いに離隔している。
【００６０】
図２および図３に示すように、第１可変容量取り出し用外部電極１２１は、第１内部電極２１１と電気的に接続されている。第１の実施の形態の場合、第１可変容量取り出し用外部電極は１つである。第２可変容量取り出し用外部電極１２２は、第２内部電極２１２と電気的に接続されている。第１の実施の形態の場合、第２可変容量取り出し用外部電極は１つである。
【００６１】
そして、第１可変容量取り出し用外部電極１２１に入力されたＡＣ電流が、第１内部電極２１１、第３内部電極２３１、第４内部電極２３６、第３内部電極２３２、第４内部電極２３７、第３内部電極２３３、第４内部電極２３８、第３内部電極２３４、第４内部電極２３９、第３内部電極２３５および第２内部電極２１２を順に通過して、第２可変容量取り出し用外部電極１２２から出力されるように構成されている。
【００６２】
図２および図４に示すように、第１容量制御用外部電極１３１は、第３内部電極２３１と電気的に接続されている。第１容量制御用外部電極１３２は、第３内部電極２３２と電気的に接続されている。第１容量制御用外部電極１３３は、第３内部電極２３３と電気的に接続されている。第１容量制御用外部電極１３４は、第３内部電極２３４と電気的に接続されている。第１容量制御用外部電極１３５は、第３内部電極２３５と電気的に接続されている。第１の実施の形態の場合、第１容量制御用外部電極は５つである。
【００６３】
図２および図３に示すように、第２容量制御用外部電極１３６は、第４内部電極２３６と電気的に接続されている。第２容量制御用外部電極１３７は、第４内部電極２３７と電気的に接続されている。第２容量制御用外部電極１３８は、第４内部電極２３８と電気的に接続されている。第２容量制御用外部電極１３９は、第４内部電極２３９と電気的に接続されている。第１の実施の形態の場合、第２容量制御用外部電極は４つである。
【００６４】
そして、第１容量制御用外部電極群と第２容量制御用外部電極群の間にＤＣ電圧が印加されると、ＤＣ電圧に応じて誘電体層１４０を構成する材料のＤＣバイアス特性が利用されて、可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９のそれぞれの容量が変化するように構成されている。
【００６５】
第１可変容量取り出し用外部電極１２１、第２可変容量取り出し用外部電極１２２、第１容量制御用外部電極群および第２容量制御用外部電極群は、下地層のみで形成されていても良いが、下地層と下地層上に形成されるめっき層とで構成されることがより好ましい。
【００６６】
下地層は、焼結金属とガラス成分とを含む焼結金属膜、めっき膜、または導電性樹脂膜などにより構成される。
【００６７】
下地層として焼結金属膜が選択される場合、焼結金属膜を構成する金属としては、例えば、Ｃｕ、Ｎｉ、Ａｇ、Ｐｄ、Ａｇ−Ｐｄ合金、Ａｕなどが用いられ、特に、Ｃｕが用いられることが好ましい。焼結金属膜は、内部電極と同時焼成したものや、焼成後のコンデンサ本体１１０の表面に導電性ペーストを塗布して焼き付けたものである。焼結金属膜の場合、下地層の厚みは最も厚い部分で１０μｍ以上５０μｍ以下であることが好ましい。
【００６８】
下地層としてめっき膜が選択される場合、めっき膜を構成する金属としては、例えば、Ｃｕ、Ｎｉ、Ａｇ、Ｐｄ、Ａｇ−Ｐｄ合金、Ａｕ、Ｓｎ、Ｐｂ、Ｐｄ、Ｂｉ、Ｚｎなどが用いられる。めっき膜の場合、下地層の厚みは最も厚い部分で１μｍ以上２０μｍ以下であることが好ましい。
【００６９】
下地層として導電性樹脂膜が選択される場合、熱硬化性樹脂および金属フィラーを混合したものが用いられる。導電性樹脂膜の場合、下地層の厚みは最も厚い部分で１０μｍ以上８０μｍ以下であることが好ましい。
【００７０】
めっき層を構成する金属としては、例えば、Ｃｕ、Ｎｉ、Ａｇ、Ｐｄ、Ａｇ−Ｐｄ合金、Ａｕ、Ｓｎ、Ｐｂ、Ｐｄ、Ｂｉ、Ｚｎなどが用いられる。めっき層は複数層により形成されていてもよく、好ましくは、ＮｉめっきとＳｎめっきとの２層構造である。めっき層一層あたりの厚みは、１μｍ以上１０μｍ以下であることが好ましい。さらに、下地層とめっき層との間に、応力緩和用の導電性樹脂層が形成されていてもよい。
【００７１】
また、可変容量コンデンサは、回路基板からの機械応力を緩和する必要がある場合や実装形態に応じて、金属端子を外部電極に電気的に接続することができる。図５は、本発明の第１の実施の形態に係る可変容量コンデンサ１００に金属端子を取り付けた状態を示す斜視図である。
【００７２】
図５に示すように、可変容量コンデンサ１００の第１可変容量取り出し用外部電極１２１は、第１金属端子３４０に電気的に接続されている。第２可変容量取り出し用外部電極１２２は、第２金属端子３４１に電気的に接続されている。第１容量制御用外部電極１３１を含む第１容量制御用外部電極群は、それぞれ第３金属端子３４２に電気的に接続されている。第２容量制御用外部電極１３６を含む第２容量制御用外部電極群は、それぞれ第４金属端子３４３に電気的に接続されている。
【００７３】
第１金属端子３４０は、たとえば矩形板状の端子接合部３４０ａと、端子接合部３４０ａの上部からコンデンサ本体１１０の第１主面１０１に延びる三つの位置決め部３４０ｂと、コンデンサ本体１１０の第１端面１０５から外側に向かう方向に延びる四つの実装部３４０ｃとからなる。位置決め部３４０ｂと実装部３４０ｃとは、端子接合部３４０ａの上部に略一列状に交互に配置されている。第２金属端子３４１は、たとえば矩形板状の端子接合部３４１ａと、端子接合部３４１ａの上部からコンデンサ本体１１０の第１主面１０１に延びる三つの位置決め部３４１ｂと、コンデンサ本体１１０の第２端面１０６から外側に向かう方向に延びる四つの実装部３４１ｃとからなる。位置決め部３４１ｂと実装部３４１ｃとは、端子接合部３４１ａの上部に略一列状に交互に配置されている。
【００７４】
第３金属端子３４２は、たとえば矩形板状の端子接合部３４２ａと、端子接合部３４２ａからコンデンサ本体１１０の第２主面（実装面）１０２方向に向かって傾斜して延びる延長部３４２ｂと、延長部３４２ｂからコンデンサ本体１１０の側面同士を結んだ方向に外側に向かって延びる実装部３４２ｃとからなる。第４金属端子３４３は、たとえば矩形板状の端子接合部３４３ａと、端子接合部３４３ａからコンデンサ本体１１０の第２主面（実装面）１０２方向に向かって傾斜して延びる延長部３４３ｂと、延長部３４３ｂからコンデンサ本体１１０の側面同士を結んだ方向に外側に向かって延びる実装部３４３ｃとからなる。
【００７５】
第１金属端子３４０の端子接合部３４０ａは、コンデンサ本体１１０の第１端面１０５上の第１可変容量取り出し用外部電極１２１に電気的に接続される部分である。端子接合部３４０ａは、たとえば、第１可変容量取り出し用外部電極１２１と同等の大きさの矩形板状に形成され、片面が第１可変容量取り出し用外部電極１２１にはんだ等で接続されている。第２金属端子３４１の端子接合部３４１ａは、コンデンサ本体１１０の第２端面１０６上の第２可変容量取り出し用外部電極１２２に電気的に接続される部分である。端子接合部３４１ａは、たとえば、第２可変容量取り出し用外部電極１２２と同等の大きさの矩形板状に形成され、片面が第２可変容量取り出し用外部電極１２２にはんだ等で接続されている。
【００７６】
また、複数の第３金属端子３４２の端子接合部３４２ａは、それぞれコンデンサ本体１１０の第１側面１０３上の第１容量制御用外部電極１３１を含む第１容量制御用外部電極群に電気的に接続される部分である。端子接合部３４２ａは、たとえば、第１容量制御用外部電極の幅と同等の大きさの矩形板状に形成され、片面が第１容量制御用外部電極にはんだ等で接続されている。複数の第４金属端子３４３の端子接合部３４３ａは、それぞれコンデンサ本体１１０の第２側面１０４上の第２容量制御用外部電極１３６を含む第２容量制御用外部電極群に電気的に接続される部分である。端子接合部３４３ａは、たとえば、第２容量制御用外部電極の幅と同等の大きさの矩形板状に形成され、片面が第２容量制御用外部電極にはんだ等で接続されている。
【００７７】
第３金属端子３４２の延長部３４２ｂは、コンデンサ本体１１０の第２主面１０２と実装部３４２ｃとの間に隙間を形成するように設けられている。第４金属端子３４３の延長部３４３ｂは、コンデンサ本体１１０の第２主面１０２と実装部３４３ｃとの間に隙間を形成するように設けられている。
【００７８】
これは、可変容量コンデンサ１００を、部品を実装する実装基板から浮かせるためのものである。これにより、交流電圧が加わることで誘電体層１４０に生じる機械的歪みが、第３金属端子３４２および第４金属端子３４３のそれぞれの弾性変形によって吸収され、その振動が可変容量コンデンサ１００の第１可変容量取り出し用外部電極１２１および第２可変容量取り出し用外部電極１２２および第１容量制御用外部電極群および第２容量制御用外部電極群を介して実装基板に伝達されることを抑えて雑音の発生を減少することができる。
【００７９】
第１金属端子３４０の実装部３４０ｃは、端子接合部３４０ａの上端部から第１主面１０１に平行する長さ方向Ｌに延びて端子接合部３４０ａと直角になるように形成されている。第１金属端子３４０の実装部３４０ｃは、実装基板上の外部回路と可変容量コンデンサ１００の第１可変容量取り出し用外部電極１２１との電気的接続を容易にすることができる。第２金属端子３４１の実装部３４１ｃは、端子接合部３４１ａの上端部から第１主面１０１に平行する長さ方向Ｌに延びて端子接合部３４１ａと直角になるように形成されている。第２金属端子３４１の実装部３４１ｃは、実装基板上の外部回路と可変容量コンデンサ１００の第２可変容量取り出し用外部電極１２２との電気的接続を容易にすることができる。
【００８０】
第３金属端子３４２の実装部３４２ｃは、延長部３４２ｂの端部から第１主面１０１に平行する幅方向Ｗに延びて、延長部３４２ｂと鈍角形状になるように形成されている。第３金属端子３４２の実装部３４２ｃは、実装基板上のランドと可変容量コンデンサ１００の第１容量制御用外部電極１３１等との電気的接続を容易にすることができる。第４金属端子３４３の実装部３４３ｃは、延長部３４３ｂの端部から第１主面１０１に平行する幅方向Ｗに延びて、延長部３４３ｂと鈍角形状になるように形成されている。第４金属端子３４３の実装部３４３ｃは、実装基板上のランドと可変容量コンデンサ１００の第２容量制御用外部電極１３６等との電気的接続を容易にすることができる。
【００８１】
第１金属端子３４０および第２金属端子３４１および第３金属端子３４２および第４金属端子３４３は、それぞれ、端子接合部と延長部と実装部とを含む端子本体と前記端子本体の表面に形成されためっき膜とからなる。
【００８２】
端子本体は、Ｎｉ、Ｆｅ、Ｃｕ、Ａｇ、Ｃｒまたはこれらの金属のうちの一種以上の金属を主成分として含む合金からなる。端子本体は、Ｎｉ、Ｆｅ、Ｃｒまたはこれらの金属のうちの一種以上の金属を主成分として含む合金からなる。端子本体は、Ｎｉ、Ｆｅ、Ｃｒまたはこれらの金属のうちの一種以上の金属を主成分として含む合金からなることが好ましい。端子本体の厚みは０．０５ｍｍ以上０．５ｍｍ以下程度であることが好ましい。
【００８３】
めっき膜は、例えば、端子本体を覆う下層めっき膜と、下層めっき膜を覆う上層めっき膜とで構成される。下層めっき膜および上層めっき膜のそれぞれは、複数のめっき膜によって構成されていてもよい。
【００８４】
下層めっき膜は、例えば、Ｎｉ、Ｆｅ、Ｃｕ、Ａｇ、Ｃｒまたはこれらの金属のうちの一種以上の金属を主成分として含む合金で形成される。下層めっき膜は、Ｎｉ、Ｆｅ、Ｃｒまたはこれらの金属のうちの一種以上の金属を主成分として含む合金からなることが好ましい。端子本体および下層めっき膜のそれぞれが、高融点のＮｉ、Ｆｅ、Ｃｒまたはこれらの金属のうちの一種以上の金属を主成分として含む合金で形成することにより、可変容量コンデンサ１００の外部電極の耐熱性を向上させることができる。下層めっき膜の厚みは１．０μｍ以上５．０μｍ以下程度であることが好ましい。
【００８５】
上層めっき膜は、例えば、Ｓｎ、Ａｇ、Ａｕまたはこれらの金属のうちの一種以上の金属を主成分として含む合金で形成される。上層めっき膜は、ＳｎまたはＳｎを主成分として含む合金からなることが好ましい。上層めっき膜をＳｎまたはＳｎを主成分として含む合金で形成することにより、第１金属端子３４０等の金属端子と可変容量コンデンサ１００の外部電極との半田付き性を向上させることができる。上層めっき膜の厚みは、１．０μｍ以上５．０μｍ以下程度であることが好ましい。
【００８６】
次に、本実施形態に係る可変容量コンデンサ１００の製造方法について説明する。図６は、本発明の第１の実施の形態に係る可変容量コンデンサ１００の製造方法を示すフローチャートである。ここでは、可変容量コンデンサ１００の外部電極の下地層として焼結金属膜を選択した場合を説明する。
【００８７】
図６に示すように、先ず、マザーセラミックグリーンシート上に内部電極パターンが形成される（Ｓ１００）。マザーセラミックグリーンシートおよび内部電極用導電性ペーストが準備される。マザーセラミックグリーンシートおよび内部電極用導電性ペーストは、周知の有機バインダと有機溶剤とを含む。
【００８８】
マザーセラミックグリーンシート上に、例えば、スクリーン印刷などにより図７に示すパターンで内部電極用導電性ペーストを印刷し、同一の層に配置されている１組の第１内部電極２１１と二つ以上の第４内部電極と第２内部電極２１２との内部電極パターンを形成する。二つ以上の第４内部電極は、第４内部電極２３６と第４内部電極２３７と第４内部電極２３８と第４内部電極２３９とである。
【００８９】
同様に、別のマザーセラミックグリーンシート上に、例えば、スクリーン印刷などにより図８に示すパターンで内部電極用導電性ペーストを印刷し、同一の層の位置に配置されている１組の二つ以上の第３内部電極の内部電極パターンを形成する。二つ以上の第３内部電極は、第３内部電極２３１と第３内部電極２３２と第３内部電極２３３と第３内部電極２３４と第３内部電極２３５とである。なお、図７および図８に示すパターンは、後工程で一点鎖線Ｃの位置でカットされ、４個分の可変容量コンデンサ１００とされるべきものである。
【００９０】
次に、マザー積層体が作製される（Ｓ１１０）。マザー積層体は、下記のように作製される。内部電極パターンが印刷されていない外層用マザーセラミックグリーンシートを所定枚数積層し、その上に図７に示す内部電極パターンが印刷されたマザーセラミックグリーンシートと図８に示す内部電極パターンが印刷されたマザーセラミックグリーンシートとを交互に順次積層する。このようにして、図９に示すように、内部電極パターンが印刷されたマザーセラミックグリーンシートが積層された後、さらにその上に外層用マザーセラミックグリーンシートを所定枚数積層し、マザー積層体を作製する。マザー積層体は、静水圧プレスなどの手段により積層方向にプレスされる。
【００９１】
次に、マザー積層体が図９に示す一点鎖線Ｃの位置でカットされ、所定サイズの生のセラミック積層体が切り出される（Ｓ１２０）。このとき、バレル研磨などによって生のセラミック積層体の角部や稜部に丸みをつけてもよい。
【００９２】
次に、生のセラミック積層体が焼成される（Ｓ１３０）。焼成温度は、セラミック材料および導電材料の種類に応じて適宜設定され、たとえば、９００℃以上１３００℃以下の範囲内で設定される。
【００９３】
次に、焼成後のセラミック積層体の表面に外部電極が形成される（Ｓ１４０）。焼成後のセラミック積層体の表面に外部電極用導電性ペーストが塗布され、焼き付けられ、第１可変容量取り出し用外部電極１２１と第２可変容量取り出し用外部電極１２２と第１容量制御用外部電極群と第２容量制御用外部電極群の下地層が形成される。焼き付け温度は、７００℃以上９００℃以下であることが好ましい。必要に応じて、下地層の表面にめっき層が形成される。
【００９４】
次に、必要に応じて、外部電極にそれぞれ金属端子が取り付けられる（Ｓ１５０）。金属端子が外部電極に取り付けられる場合、外部電極の下地層上に、はんだ又は厚膜接合材で金属端子が取り付けられてもよく、下地層上に形成されためっき膜上に、はんだ又は厚膜接合材で金属端子が取り付けられてもよい。
【００９５】
図１０は、本発明の第１の実施の形態に係る可変容量コンデンサ１００が回路基板に実装された状態を示す斜視図である。
【００９６】
可変容量コンデンサ１００の第１可変容量取り出し用外部電極１２１は、第１金属端子３４０を介して、図示しない第１可変容量取り出し用外部導体に電気的に接続されている。第２可変容量取り出し用外部電極１２２は、第２金属端子３４１を介して、図示しない第２可変容量取り出し用外部導体に電気的に接続されている。
【００９７】
第１容量制御用外部電極１３１は、第３金属端子３４２を介して抵抗Ｒ１（もしくは、インダクタ）の一方の外部電極に電気的に直列接続されている。第１容量制御用外部電極１３２は、第３金属端子３４２を介して抵抗Ｒ３（もしくは、インダクタ）の一方の外部電極に電気的に直列接続されている。第１容量制御用外部電極１３３は、第３金属端子３４２を介して抵抗Ｒ５（もしくは、インダクタ）の一方の外部電極に電気的に直列接続されている。第１容量制御用外部電極１３４は、第３金属端子３４２を介して抵抗Ｒ７（もしくは、インダクタ）の一方の外部電極に電気的に直列接続されている。第１容量制御用外部電極１３５は、第３金属端子３４２を介して抵抗Ｒ９（もしくは、インダクタ）の一方の外部電極に電気的に直列接続されている。抵抗Ｒ１の他方の外部電極と抵抗Ｒ３の他方の外部電極と抵抗Ｒ５の他方の外部電極と抵抗Ｒ７の他方の外部電極と抵抗Ｒ９の他方の外部電極は、それぞれ第１容量制御用共通外部導体４１０に電気的に接続されている。
【００９８】
第２容量制御用外部電極１３６は、第４金属端子３４３を介して、抵抗Ｒ２（もしくは、インダクタ）の一方の外部電極に電気的に直列接続されている。第２容量制御用外部電極１３７は、第４金属端子３４３を介して、抵抗Ｒ４（もしくは、インダクタ）の一方の外部電極に電気的に直列接続されている。第２容量制御用外部電極１３８は、第４金属端子３４３を介して、抵抗Ｒ６（もしくは、インダクタ）の一方の外部電極に電気的に直列接続されている。第２容量制御用外部電極１３９は、第４金属端子３４３を介して、抵抗Ｒ８（もしくは、インダクタ）の一方の外部電極に電気的に直列接続されている。抵抗Ｒ２の他方の外部電極と抵抗Ｒ４の他方の外部電極と抵抗Ｒ６の他方の外部電極と抵抗Ｒ８の他方の外部電極は、それぞれ第２容量制御用共通外部導体４１２に電気的に接続されている。
【００９９】
次に、第１の実施の形態に係る可変容量コンデンサ１００の容量の可変方法について説明する。
【０１００】
図１１は、本発明の第１の実施の形態に係る可変容量コンデンサ１００が回路基板に実装された状態の等価回路を示す図である。第１可変容量取り出し用外部電極１２１と第２可変容量取り出し用外部電極１２２との間には、第１固定容量部Ｃ１と可変容量部Ｃ２と可変容量部Ｃ３と可変容量部Ｃ４と可変容量部Ｃ５と可変容量部Ｃ６と可変容量部Ｃ７と可変容量部Ｃ８と可変容量部Ｃ９と第２固定容量部Ｃ１０とが、順に電気的に直列接続されている。互いに並列に接続された抵抗Ｒ１と抵抗Ｒ３と抵抗Ｒ５と抵抗Ｒ７と抵抗Ｒ９とが、それぞれ独立した容量制御用端子外部電極に電気的に直列に接続されている。互いに並列に接続された抵抗Ｒ２と抵抗Ｒ４と抵抗Ｒ６と抵抗Ｒ８とが、それぞれ独立した容量制御用端子外部電極に電気的に直列に接続されている。
【０１０１】
そして、抵抗Ｒ１と抵抗Ｒ３と抵抗Ｒ５と抵抗Ｒ７と抵抗Ｒ９とは、それぞれ第１可変容量取り出し用外部電極１２１から入力されるＡＣ入力信号におけるインピーダンスが、可変容量コンデンサ１００の可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９のインピーダンスよりも十分に高くなるように設計される。
【０１０２】
さらに、抵抗Ｒ２と抵抗Ｒ４と抵抗Ｒ６と抵抗Ｒ８とは、第１可変容量取り出し用外部電極１２１から入力されるＡＣ入力信号におけるインピーダンスが、可変容量コンデンサ１００の可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９のインピーダンスよりも十分に高くなるように設計される。
【０１０３】
第１固定容量部Ｃ１の容量は、可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９のそれぞれの容量に対して１．８倍以上であり、第２固定容量部Ｃ１０の容量は、可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９のそれぞれの容量に対して１．８倍以上であるように設計されている。
第１の実施の形態の場合、入力側の第１固定容量部Ｃ１と出力側の第２固定容量部Ｃ１０とのそれぞれの容量は６５０ｎＦ、可変容量部Ｃ２と可変容量部Ｃ３と可変容量部Ｃ４と可変容量部Ｃ５と可変容量部Ｃ６と可変容量部Ｃ７と可変容量部Ｃ８と可変容量部Ｃ９とのそれぞれ容量は３３０ｎＦとした。抵抗Ｒ１と抵抗Ｒ２と抵抗Ｒ３と抵抗Ｒ４と抵抗Ｒ５と抵抗Ｒ６と抵抗Ｒ７と抵抗Ｒ８と抵抗Ｒ９とのそれぞれの抵抗値は１ＭｅｇΩとした。
【０１０４】
従って、第１容量制御用共通外部導体４１０から第１容量制御用外部電極電圧が、それぞれの抵抗Ｒ１と抵抗Ｒ３と抵抗Ｒ５と抵抗Ｒ７と抵抗Ｒ９とを介して、可変容量コンデンサ１００の第１容量制御用外部電極１３１等を含む第１容量制御用外部電極群に印加され、かつ、第２容量制御用共通外部導体４１２から第２容量制御用外部電極電圧が、それぞれの抵抗Ｒ２と抵抗Ｒ４と抵抗Ｒ６と抵抗Ｒ８とを介して、可変容量コンデンサ１００の第２容量制御用外部電極１３６等を含む第２容量制御用外部電極群に印加されることによって、可変容量部Ｃ２、可変容量部Ｃ３、可変容量部Ｃ４、可変容量部Ｃ５、可変容量部Ｃ６、可変容量部Ｃ７、可変容量部Ｃ８および可変容量部Ｃ９の容量を変化させることができる。
【０１０５】
以上の構成とすることにより、可変容量コンデンサ１００の積層セラミックコンデンサ本体１１０がグリーンシートを用いた誘電体層１４０からなるので、薄膜では不可能な高耐圧を実現できる。従って、可変容量コンデンサ１００の高電圧用途や電源などへの応用が可能になる。
【０１０６】
さらに、積層多層構造とすることで、薄膜では実現が困難な大容量化が可能となる。そして、積層多層構造とすることで同じ容量、耐圧ならば、薄膜構造に比べて、多層化によって低い等価直列抵抗（低ＥＳＲ）による高Ｑが達成でき、かつ、低い等価直列インダクタンス（低ＥＳＬ）による可変容量コンデンサ１００の小型化が達成できる。
【０１０７】
（第２の実施の形態）
本発明の第２の実施の形態に係る可変容量コンデンサについて、図を参照して詳細に説明する。本発明の第２の実施の形態に係る可変容量コンデンサは、内部電極の積層構造が本発明の第１の実施の形態に係る可変容量コンデンサ１００と異なるため、本発明の第１の実施の形態に係る可変容量コンデンサ１００と同様である構成については説明を繰り返さない。
【０１０８】
図１２は、本発明の第２の実施の形態に係る可変容量コンデンサの外観を示す斜視図である。図１３は、第２の実施の形態に係る可変容量コンデンサの断面図であって、図１２のＸＩＩＩ−ＸＩＩＩ線矢印方向から見た図である。図１４は、第２の実施の形態に係る可変容量コンデンサの断面図であって、図１３のＸＩＶ−ＸＩＶ線矢印方向から見た図である。図１５は、第２の実施の形態に係る可変容量コンデンサの断面図であって、図１３のＸＶ−ＸＶ線矢印方向から見た図である。
【０１０９】
図１２ないし図１５に示すように、可変容量コンデンサ５００は、直方体形状を有し、長さ方向Ｌの寸法が幅方向Ｗの寸法より大きい。可変容量コンデンサ５００は、たとえば積層セラミックコンデンサからなるコンデンサ本体５１０を備えている。コンデンサ本体５１０は、複数の誘電体層の積層方向Ｈに相対する第１主面５０１および第２主面５０２と、積層方向Ｈに直交する幅方向Ｗに相対する第１側面５０３および第２側面５０４と、積層方向Ｈおよび幅方向Ｗに直交する長さ方向Ｌに相対する第５端面１０５および第２端面５０６とを有している。
【０１１０】
さらに、可変容量コンデンサ５００は、コンデンサ本体５１０の第１側面５０３の表面に、二つ以上の第１容量制御用外部電極、すなわち第１容量制御用外部電極５３１、第１容量制御用外部電極５３２、第１容量制御用外部電極５３３および第１容量制御用外部電極５３４（以下、第１容量制御用外部電極群とも称する）を備えている。そして、第２側面５０４の表面には、二つ以上の第２容量制御用外部電極、すなわち第２容量制御用外部電極５３５、第２容量制御用外部電極５３６、第２容量制御用外部電極５３７および第２容量制御用外部電極５３８（以下、第２容量制御用外部電極群とも称する）が備えられている。さらに、コンデンサ本体５１０の第１端面５０５の表面には、第１可変容量取り出し用外部電極５２１が備えられ、第２端面５０６の表面には、第２可変容量取り出し用外部電極５２２が備えられている。
【０１１１】
コンデンサ本体５１０は、交互に積層された複数の誘電体層５４０および複数の内部電極にて構成されている。コンデンサ本体５１０は、直方体形状を有している。複数の誘電体層５４０および複数の内部電極の積層方向Ｈは、高さ方向に合致している。
【０１１２】
コンデンサ本体５１０は、同一の層に配置されている１組の第１内部電極６１１と二つ以上の第４内部電極、並びに、前記１組の第１内部電極６１１と二つ以上の第４内部電極とは異なる層でかつ同一の層の位置に配置されている１組の二つ以上の第３内部電極と第２内部電極６１２を含む。二つ以上の第４内部電極は、第２の実施の形態の場合、第４内部電極６３５と第４内部電極６３６と第４内部電極６３７と第４内部電極６３８とである（以下、第４内部電極群とも称する）。二つ以上の第３内部電極は、第２の実施の形態の場合、第３内部電極６３１と第３内部電極６３２と第３内部電極６３３と第３内部電極６３４とである（以下、第３内部電極群とも称する）。
【０１１３】
図１４に示すように、同一の層に配置されている１組の第１内部電極６１１と第４内部電極６３５と第４内部電極６３６と第４内部電極６３７と第４内部電極６３８とは、コンデンサ本体５１０の第１端面５０５から第２端面５０６に向かって、つまりコンデンサ本体５１０の長さ方向Ｌに向かって並設され、隣接する内部電極間にはギャップ領域Ｓ１が形成されている。
【０１１４】
第１内部電極６１１は、積層方向Ｈから見て、矩形状の第１対向部６１１ａと、第１対向部６１１ａからコンデンサ本体５１０の第１端面５０５に引出された第１引出し部６１１ｂとを有している。
【０１１５】
第４内部電極６３５は、積層方向Ｈから見て、第１内部電極６１１の第１対向部６１１ａからギャップ領域Ｓ１を置いて配置された矩形状の第４対向部６３５ａと、第４対向部６３５ａからコンデンサ本体５１０の第２側面５０４に引出された第４引出し部６３５ｂとを有している。
【０１１６】
第４内部電極６３６は、積層方向Ｈから見て、第４内部電極６３５の第４対向部６３５ａからギャップ領域Ｓ１を置いて配置された矩形状の第４対向部６３６ａと、第４対向部６３６ａからコンデンサ本体５１０の第２側面５０４に引出された第４引出し部６３６ｂとを有している。
【０１１７】
第４内部電極６３７は、積層方向Ｈから見て、第４内部電極６３６の第４対向部６３６ａからギャップ領域Ｓ１を置いて配置された矩形状の第４対向部６３７ａと、第４対向部６３７ａからコンデンサ本体５１０の第２側面５０４に引出された第４引出し部６３７ｂとを有している。
【０１１８】
第４内部電極６３８は、積層方向Ｈから見て、第４内部電極６３７の第４対向部６３７ａからギャップ領域Ｓ１を置いて配置された矩形状の第４対向部６３８ａと、第４対向部６３８ａからコンデンサ本体５１０の第２側面５０４に引出された第４引出し部６３８ｂとを有している。第４対向部６３８ａは、コンデンサ本体５１０の第２端面５０６から所定の間隔をあけて配置されている。
【０１１９】
第４内部電極６３５と第４内部電極６３６と第４内部電極６３７と第４内部６３８とは相互に独立していると共に、第１内部電極６１１とも相互に独立している。
【０１２０】
第１内部電極６１１の第１対向部６１１ａと第４内部電極６３８の第４対向部６３８ａとは、面積が略等しく、かつ、第４内部電極６３５の第４対向部６３５ａと第４内部電極６３６の第４対向部６３６ａと第４内部電極６３７の第４対向部６３７ａのそれぞれの面積より大きく設計されている。
【０１２１】
また、図１５に示すように、同一の層に配置されている１組の第３内部電極６３１と第３内部電極６３２と第３内部電極６３３と第３内部電極６３４と第２内部電極６１２とは、コンデンサ本体５１０の第１端面５０５から第２端面５０６に向かって、つまりコンデンサ本体５１０の長さ方向Ｌに向かって並設され、隣接する内部電極間にはギャップ領域Ｓ２が形成されている。
【０１２２】
第３内部電極６３１は、積層方向Ｈから見て、コンデンサ本体５１０の第１端面５０５から所定の間隔をあけて矩形状の第３対向部６３１ａと、第３対向部６３１ａからコンデンサ本体５１０の第１側面５０３に引出された第３引出し部６３１ｂとを有している。
【０１２３】
第３内部電極６３２は、積層方向Ｈから見て、第３内部電極６３１の第３対向部６３１ａからギャップ領域Ｓ２を置いて配置された矩形状の第３対向部６３２ａと、第３対向部６３２ａからコンデンサ本体５１０の第１側面５０３に引出された第３引出し部６３２ｂとを有している。
【０１２４】
第３内部電極６３３は、積層方向Ｈから見て、第３内部電極６３２の第３対向部６３２ａからギャップ領域Ｓ２を置いて配置された矩形状の第３対向部６３３ａと、第３対向部６３３ａからコンデンサ本体５１０の第１側面５０３に引出された第３引出し部６３３ｂとを有している。
【０１２５】
第３内部電極６３４は、積層方向Ｈから見て、第３内部電極６３３の第３対向部６３３ａからギャップ領域Ｓ２を置いて配置された矩形状の第３対向部６３４ａと、第３対向部６３４ａからコンデンサ本体５１０の第１側面５０３に引出された第３引出し部６３４ｂとを有している。
【０１２６】
第２内部電極６１２は、積層方向Ｈから見て、第３内部電極６３４の第３対向部６３４ａからギャップ領域Ｓ２を置いて配置された矩形状の第２対向部６１２ａと、第２対向部６１２ａからコンデンサ本体５１０の第２端面５０６に引出された第２引出し部６１２ｂとを有している。
【０１２７】
第３内部電極６３１と第３内部電極６３２と第３内部電極６３３と第３内部電極６３４とは相互に独立していると共に、第２内部電極６１２とも相互に独立している。
【０１２８】
コンデンサ本体５１０の長さ方向Ｌの両側に位置している第３内部電極６３１の第３対向部６３１ａと第２内部電極６１２の第２対向部６１２ａとは、面積が略等しく、かつ、第３内部電極６３２の第３対向部６３２ａと第３内部電極６３３の第３対向部６３３ａと第３内部電極６３４の第３対向部６３４ａのそれぞれの面積より大きく設計されている。
【０１２９】
第３内部電極６３１の第３対向部６３１ａと第４内部電極６３８の第４対向部６３８ａと第１内部電極２１１の第１対向部２１１ａと第２内部電極２１２の第２対向部２１２ａのそれぞれの面積は、略等しく設計されている。第３内部電極６３２の第３対向部６３２ａと第３内部電極６３３の第３対向部６３３ａと第３内部電極６３４の第３対向部６３４ａと第４内部電極６３５の第４対向部６３５ａと第４内部電極６３６の第４対向部６３６ａと第４内部電極６３７の第４対向部６３７ａのそれぞれの面積は、略等しく設計されている。
【０１３０】
図１３に示すように、同一の層に配置されている１組の第１内部電極６１１と二つ以上の第４内部電極群は、別の同一の層に配置されている１組の二つ以上の第３内部電極群と第２内部電極６１２に誘電体層５４０を挟んで対向して重なり合っている。
【０１３１】
第１内部電極６１１の第１対向部６１１ａと、第１対向部６１１ａに誘電体層５４０を挟んで対向している第３内部電極６３１の第３対向部６３１ａとの間には、第１固定容量部Ｃ１１が形成されている。第２内部電極６１２の第２対向部６１２ａと、第２対向部６１２ａに誘電体層５４０を挟んで対向している第４内部電極６３８の第４対向部６３８ａとの間において第２固定容量部Ｃ１９が形成されている。
【０１３２】
コンデンサ本体５１０の第１端面５０５と第２端面５０６とを結ぶ長さ方向Ｌに沿って、誘電体層５４０を挟んで対向している第３内部電極群の第３対向部と第４内部電極群の第４対向部との間において、二つ以上の可変容量部が並設して形成されている。
【０１３３】
すなわち、第３内部電極６３１の第３対向部６３１ａと第４内部電極６３５の第４対向部６３５ａとの間において可変容量部Ｃ１２が形成されている。第４内部電極６３５の第４対向部６３５ａと第３内部電極６３２の第３対向部６３２ａとの間において可変容量部Ｃ１３が形成されている。第３内部電極６３２の第３対向部６３２ａと第４内部電極６３６の第４対向部６３６ａとの間において可変容量部Ｃ１４が形成されている。第４内部電極６３６の第４対向部６３６ａと第３内部電極６３３の第３対向部６３３ａとの間において可変容量部Ｃ１５が形成されている。第３内部電極６３３の第３対向部６３３ａと第４内部電極６３７の第４対向部６３７ａとの間において可変容量部Ｃ１６が形成されている。第４内部電極６３７の第４対向部６３７ａと第３内部電極６３４の第３対向部６３４ａとの間において可変容量部Ｃ１７が形成されている。第３内部電極６３４の第３対向部６３４ａと第４内部電極６３８の第４対向部６３８ａとの間において可変容量部Ｃ１８が形成されている。
【０１３４】
そして、第１固定容量部Ｃ１１の容量は、第１内部電極６１１の第１対向部６１１ａの面積と、第１対向部６１１ａに誘電体層５４０を挟んで対向している第３内部電極６３１の第３対向部６３１ａの面積とが大きいため、可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８のそれぞれの容量より大きい。また、第２固定容量部Ｃ１９の容量は、第２内部電極６１２の第２対向部６１２ａの面積と、第２対向部６１２ａに誘電体層５４０を挟んで対向している第３内部電極６３５の第３対向部６３５ａの面積とが大きいため、可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８のそれぞれの容量より大きい。
【０１３５】
そして、コンデンサ本体５１０の第１端面５０５から第２端面５０６に向かって、つまりコンデンサ本体５１０の長さ方向Ｌに向かって、第１固定容量部Ｃ１１、可変容量部Ｃ１２、可変容量部Ｃ１３、可変容量部Ｃ１４、可変容量部Ｃ１５、可変容量部Ｃ１６、可変容量部Ｃ１７、可変容量部Ｃ１８および第２固定容量部Ｃ１９が、順に電気的に直列接続されている。
【０１３６】
また、図１３に示すように、可変容量部は、コンデンサ本体５１０の第１主面５０１から第２主面５０２に向かって、つまり、コンデンサ本体５１０の積層方向Ｈに沿って二つ以上の単位容量を有している。
【０１３７】
例えば、コンデンサ本体５１０の第１主面５０１から第２主面５０２に向かって、内部電極の層を第１内部電極層、第２内部電極層、第３内部電極層、第４内部電極層および第５内部電極層と定義する。
【０１３８】
このとき、例えば、可変容量部Ｃ１２は、第２内部電極層に位置している第３内部電極６３１の第３対向部６３１ａが、第１内部電極層に位置している第４内部電極６３５の第４対向部６３５ａとの間に形成されている第１単位容量および第３内部電極層に位置している第４内部電極６３５の第４対向部６３５ａとの間に形成されている第２単位容量と、第４内部電極層に位置している第３内部電極６３１の第３向部６３１ａが、第３内部電極層に位置している第４内部電極６３５の第４対向部６３５ａとの間に形成されている第３単位容量および第５内部電極層に位置している第４内部電極６３５の第４対向部６３５ａとの間に形成されている第４単位容量とを有している。従って、可変容量部Ｃ１２は、第１単位容量と第２単位容量と第３単位容量と第４単位容量とを合計した容量となる。その他の可変容量部Ｃ１３、可変容量部Ｃ１４、可変容量部Ｃ１５、可変容量部Ｃ１６、可変容量部Ｃ１７および可変容量部Ｃ１８も同様である。
【０１３９】
また、コンデンサ本体５１０の積層方向Ｈから見て、第３内部電極群は、同一の層に位置している第１内部電極６１１および第４内部電極群のうちの隣接する一組の内部電極の対向部間に形成されているギャップ領域Ｓ１を覆うように配置されている。
【０１４０】
つまり、第３内部電極６３１は、同一の誘電体層５４０上で隣接する第１内部電極６１１の第１対向部６１１ａと第４内部電極６３５の第４対向部６３５ａとの間に形成されているギャップ領域Ｓ１を覆うように配置されている。第３内部電極６３２は、同一の誘電体層５４０上で隣接する第４内部電極６３５の第４対向部６３５ａと第４内部電極６３６の第４対向部６３６ａとの間に形成されているギャップ領域Ｓ１を覆うように配置されている。第３内部電極６３３は、同一の誘電体層５４０上で隣接する第４内部電極６３６の第４対向部６３６ａと第４内部電極６３７の第４対向部６３７ａとの間に形成されているギャップ領域Ｓ１を覆うように配置されている。第３内部電極６３４は、同一の誘電体層５４０上で隣接する第４内部電極６３７の第４対向部６３７ａと第４内部電極６３８の第４対向部６３８ａとの間に形成されているギャップ領域Ｓ１を覆うように配置されている。
【０１４１】
また、コンデンサ本体５１０の積層方向Ｈから見て、第４内部電極群は、同一の誘電体層５４０上に位置している第３内部電極群および第２内部電極６１２のうちの隣接する一組の内部電極の対向部間に形成されているギャップ領域Ｓ２を覆うように配置されている。
【０１４２】
つまり、第４内部電極６３５は、同一の誘電体層５４０上で隣接する第３内部電極６３１の第３対向部６３１ａと第３内部電極６３２の第３対向部６３２ａとの間に形成されているギャップ領域Ｓ２を覆うように配置されている。第４内部電極６３６は、同一の誘電体層５４０上で隣接する第３内部電極６３２の第３対向部６３２ａと第３内部電極６３３の第３対向部６３３ａとの間に形成されているギャップ領域Ｓ２を覆うように配置されている。第４内部電極６３７は、同一の誘電体層５４０上で隣接する第３内部電極６３３の第３対向部６３３ａと第３内部電極６３４の第３対向部６３４ａとの間に形成されているギャップ領域Ｓ２を覆うように配置されている。第４内部電極６３８は、同一の誘電体層５４０上で隣接する第３内部電極６３４の第３対向部６３４ａと第２内部電極６１２の第２対向部６１２ａとの間に形成されているギャップ領域Ｓ２を覆うように配置されている。
【０１４３】
第１可変容量取り出し用外部電極５２１は、コンデンサ本体５１０の第１端面５０５上に配置されている。第２可変容量取り出し用外部電極５２２は、コンデンサ本体５１０の第２端面５０６上に配置されている。第１可変容量取り出し用外部電極５２１および第２可変容量取り出し用外部電極５２２は、コンデンサ本体５１０の長さ方向Ｌにおいて互いに離隔している。
【０１４４】
二つ以上からなる第１容量制御用外部電極５３１、第１容量制御用外部電極５３２、第１容量制御用外部電極５３３および第１容量制御用外部電極５３４は、長さ方向Ｌにおいて、第１可変容量取り出し用外部電極５２１および第２可変容量取り出し用外部電極５２２の間に位置し、コンデンサ本体５１０の第１側面５０３上に配置されている。これらの第１容量制御用外部電極群は、コンデンサ本体５１０の第１側面５０３の側において、長さ方向Ｌに互いに等間隔に離隔している。
【０１４５】
二つ以上からなる第２容量制御用外部電極５３５、第２容量制御用外部電極５３６、第２容量制御用外部電極５３７および第２容量制御用外部電極５３８は、長さ方向Ｌにおいて、第１可変容量取り出し用外部電極５２１および第２可変容量取り出し用外部電極５２２の間に位置し、コンデンサ本体５１０の第２側面５０４上に配置されている。これらの第２容量制御用外部電極群は、コンデンサ本体５１０の第２側面５０４の側において、長さ方向Ｌに互いに等間隔に離隔している。第１容量制御用外部電極群および第２容量制御用外部電極群は、コンデンサ本体５１０の幅方向Ｗにおいて互いに離隔している。
【０１４６】
図１３および図１４に示すように、第１可変容量取り出し用外部電極５２１は、第１内部電極６１１と電気的に接続されている。第２の実施の形態の場合、第１可変容量取り出し用外部電極は１つである。第２可変容量取り出し用外部電極５２２は、第２内部電極６１２と電気的に接続されている。第２の実施の形態の場合、第２可変容量取り出し用外部電極は１つである。
【０１４７】
そして、第１可変容量取り出し用外部電極５２１に入力されたＡＣ電流が、第１内部電極６１１、第３内部電極６３１、第４内部電極６３５、第３内部電極６３２、第４内部電極６３６、第３内部電極６３３、第４内部電極６３７、第３内部電極６３４、第４内部電極６３８および第２内部電極６１２を順に通過して、第２可変容量取り出し用外部電極５２２から出力されるように構成されている。
【０１４８】
図１３および図１５に示すように、第１容量制御用外部電極５３１は、第３内部電極６３１と電気的に接続されている。第１容量制御用外部電極５３２は、第３内部電極６３２と電気的に接続されている。第１容量制御用外部電極５３３は、第３内部電極６３３と電気的に接続されている。第１容量制御用外部電極５３４は、第３内部電極６３４と電気的に接続されている。第２の実施の形態の場合、第１容量制御用外部電極は４つである。
【０１４９】
図１３および図１４に示すように、第２容量制御用外部電極５３５は、第４内部電極６３５と電気的に接続されている。第２容量制御用外部電極５３６は、第４内部電極６３６と電気的に接続されている。第２容量制御用外部電極５３７は、第４内部電極６３７と電気的に接続されている。第２容量制御用外部電極５３８は、第４内部電極６３８と電気的に接続されている。第２の実施の形態の場合、第２容量制御用外部電極は４つである。
【０１５０】
そして、第１容量制御用外部電極群と第２容量制御用外部電極群の間にＤＣ電圧が印加されると、ＤＣ電圧に応じて誘電体層５４０を構成する材料のＤＣバイアス特性が利用されて、可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８のそれぞれの容量が変化するように構成されている。
【０１５１】
第１可変容量取り出し用外部電極５２１、第２可変容量取り出し用外部電極５２２、第１容量制御用外部電極群および第２容量制御用外部電極群は、下地層のみで形成されていても良いが、下地層と下地層上に形成されるめっき層とで構成されることがより好ましい。
【０１５２】
また、可変容量コンデンサは、回路基板からの機械応力を緩和する必要がある場合や実装形態に応じて、金属端子を外部電極に電気的に接続することができる。図５は、本発明の第１の実施の形態に係る可変容量コンデンサ１００に金属端子を取り付けた状態を示す斜視図である。
【０１５３】
図１６に示すように、可変容量コンデンサ５００の第１可変容量取り出し用外部電極５２１は、第１金属端子７４０に電気的に接続されている。第２可変容量取り出し用外部電極５２２は、第２金属端子７４１に電気的に接続されている。第１容量制御用外部電極５３１を含む第１容量制御用外部電極群は、それぞれ第３金属端子７４２に電気的に接続されている。第２容量制御用外部電極５３５を含む第２容量制御用外部電極群は、それぞれ第４金属端子７４３に電気的に接続されている。
【０１５４】
第１金属端子７４０は、たとえば矩形板状の端子接合部７４０ａと、端子接合部７４０ａの上部からコンデンサ本体５１０の第１主面５０１に延びる三つの位置決め部７４０ｂと、コンデンサ本体５１０の第１端面５０５から外側に向かう方向に延びる四つの実装部７４０ｃとからなる。位置決め部７４０ｂと実装部７４０ｃとは、端子接合部７４０ａの上部に略一列状に交互に配置されている。第２金属端子７４１は、たとえば矩形板状の端子接合部７４１ａと、端子接合部７４１ａの上部からコンデンサ本体５１０の第１主面５０１に延びる三つの位置決め部７４１ｂと、コンデンサ本体５１０の第２端面５０６から外側に向かう方向に延びる四つの実装部７４１ｃとからなる。位置決め部７４１ｂと実装部７４１ｃとは、端子接合部７４１ａの上部に略一列状に交互に配置されている。
【０１５５】
第３金属端子７４２は、たとえば矩形板状の端子接合部７４２ａと、端子接合部７４２ａからコンデンサ本体７１０の第２主面（実装面）５０２方向に向かって傾斜して延びる延長部７４２ｂと、延長部７４２ｂからコンデンサ本体５１０の側面同士を結んだ方向に外側に向かって延びる実装部７４２ｃとからなる。第４金属端子７４３は、たとえば矩形板状の端子接合部７４３ａと、端子接合部７４３ａからコンデンサ本体５１０の第２主面（実装面）５０２方向に向かって傾斜して延びる延長部７４３ｂと、延長部７４３ｂからコンデンサ本体５１０の側面同士を結んだ方向に外側に向かって延びる実装部７４３ｃとからなる。
【０１５６】
第１金属端子７４０の端子接合部７４０ａは、コンデンサ本体５１０の第１端面５０５上の第１可変容量取り出し用外部電極５２１に電気的に接続される部分である。端子接合部７４０ａは、たとえば、第１可変容量取り出し用外部電極５２１と同等の大きさの矩形板状に形成され、片面が第１可変容量取り出し用外部電極５２１にはんだ等で接続されている。第２金属端子７４１の端子接合部７４１ａは、コンデンサ本体５１０の第２端面５０６上の第２可変容量取り出し用外部電極５２２に電気的に接続される部分である。端子接合部７４１ａは、たとえば、第２可変容量取り出し用外部電極５２２と同等の大きさの矩形板状に形成され、片面が第２可変容量取り出し用外部電極５２２にはんだ等で接続されている。
【０１５７】
また、複数の第３金属端子７４２の端子接合部７４２ａは、それぞれコンデンサ本体５１０の第１側面５０３上の第１容量制御用外部電極５３１を含む第１容量制御用外部電極群に電気的に接続される部分である。端子接合部７４２ａは、たとえば、第１容量制御用外部電極の幅と同等の大きさの矩形板状に形成され、片面が第１容量制御用外部電極にはんだ等で接続されている。複数の第４金属端子７４３の端子接合部７４３ａは、それぞれコンデンサ本体５１０の第２側面５０４上の第２容量制御用外部電極５３５を含む第２容量制御用外部電極群に電気的に接続される部分である。端子接合部７４３ａは、たとえば、第２容量制御用外部電極の幅と同等の大きさの矩形板状に形成され、片面が第２容量制御用外部電極にはんだ等で接続されている。
【０１５８】
第３金属端子７４２の延長部７４２ｂは、コンデンサ本体５１０の第２主面５０２と実装部７４２ｃとの間に隙間を形成するように設けられている。第４金属端子７４３の延長部７４３ｂは、コンデンサ本体５１０の第２主面５０２と実装部７４３ｃとの間に隙間を形成するように設けられている。
【０１５９】
これは、可変容量コンデンサ５００を、部品を実装する実装基板から浮かせるためのものである。これにより、交流電圧が加わることで誘電体層５４０に生じる機械的歪みが、第３金属端子７４２および第４金属端子７４３のそれぞれの弾性変形によって吸収され、その振動が可変容量コンデンサ５００の第１可変容量取り出し用外部電極５２１および第２可変容量取り出し用外部電極５２２および第１容量制御用外部電極群および第２容量制御用外部電極群を介して実装基板に伝達されることを抑えて雑音の発生を減少することができる。
【０１６０】
第１金属端子７４０の実装部７４０ｃは、端子接合部７４０ａの上端部から第１主面５０１に平行する長さ方向Ｌに延びて端子接合部７４０ａと直角になるように形成されている。第１金属端子７４０の実装部７４０ｃは、実装基板上の外部回路と可変容量コンデンサ５００の第１可変容量取り出し用外部電極５２１との電気的接続を容易にすることができる。第２金属端子７４１の実装部７４１ｃは、端子接合部７４１ａの上端部から第１主面５０１に平行する長さ方向Ｌに延びて端子接合部７４１ａと直角になるように形成されている。第２金属端子７４１の実装部７４１ｃは、実装基板上の外部回路と可変容量コンデンサ５００の第２可変容量取り出し用外部電極５２２との電気的接続を容易にすることができる。
【０１６１】
第３金属端子７４２の実装部７４２ｃは、延長部７４２ｂの端部から第１主面５０１に平行する幅方向Ｗに延びて、延長部７４２ｂと鈍角形状になるように形成されている。第３金属端子７４２の実装部７４２ｃは、実装基板上のランドと可変容量コンデンサ５００の第１容量制御用外部電極５３１等との電気的接続を容易にすることができる。第４金属端子７４３の実装部７４３ｃは、延長部７４３ｂの端部から第１主面５０１に平行する幅方向Ｗに延びて、延長部７４３ｂと鈍角形状になるように形成されている。第４金属端子７４３の実装部７４３ｃは、実装基板上のランドと可変容量コンデンサ５００の第２容量制御用外部電極５３６等との電気的接続を容易にすることができる。
【０１６２】
図１７は、本発明の第２の実施の形態に係る可変容量コンデンサ５００が回路基板に実装された状態を示す斜視図である。
【０１６３】
可変容量コンデンサ５００の第１可変容量取り出し用外部電極５２１は、第１金属端子７４０を介して、図示しない第１可変容量取り出し用外部導体に電気的に接続されている。第２可変容量取り出し用外部電極５２２は、第２金属端子７４１を介して、図示しない第２可変容量取り出し用外部導体に電気的に接続されている。
【０１６４】
第１容量制御用外部電極５３１は、第３金属端子７４２を介して抵抗Ｒ１（もしくは、インダクタ）の一方の外部電極に電気的に直列接続されている。第１容量制御用外部電極５３２は、第３金属端子７４２を介して抵抗Ｒ３（もしくは、インダクタ）の一方の外部電極に電気的に直列接続されている。第１容量制御用外部電極５３３は、第３金属端子７４２を介して抵抗Ｒ５（もしくは、インダクタ）の一方の外部電極に電気的に直列接続されている。第１容量制御用外部電極５３４は、第３金属端子７４２を介して抵抗Ｒ７（もしくは、インダクタ）の一方の外部電極に電気的に直列接続されている。抵抗Ｒ１の他方の外部電極と抵抗Ｒ３の他方の外部電極と抵抗Ｒ５の他方の外部電極と抵抗Ｒ７の他方の外部電極は、それぞれ第１容量制御用共通外部導体８１０に電気的に接続されている。
【０１６５】
第２容量制御用外部電極５３５は、第４金属端子７４３を介して、抵抗Ｒ２（もしくは、インダクタ）の一方の外部電極に電気的に直列接続されている。第２容量制御用外部電極５３６は、第４金属端子７４３を介して、抵抗Ｒ４（もしくは、インダクタ）の一方の外部電極に電気的に直列接続されている。第２容量制御用外部電極５３７は、第４金属端子７４３を介して、抵抗Ｒ６（もしくは、インダクタ）の一方の外部電極に電気的に直列接続されている。第２容量制御用外部電極５３８は、第４金属端子７４３を介して、抵抗Ｒ８（もしくは、インダクタ）の一方の外部電極に電気的に直列接続されている。抵抗Ｒ２の他方の外部電極と抵抗Ｒ４の他方の外部電極と抵抗Ｒ６の他方の外部電極と抵抗Ｒ８の他方の外部電極は、それぞれ第２容量制御用共通外部導体８１２に電気的に接続されている。
【０１６６】
次に、第２の実施の形態に係る可変容量コンデンサ５００の容量の可変方法について説明する。
【０１６７】
図１８は、本発明の第２の実施の形態に係る可変容量コンデンサ５００が回路基板に実装された状態の等価回路を示す図である。第１可変容量取り出し用外部電極５２１と第２可変容量取り出し用外部電極５２２との間には、第１固定容量部Ｃ１１と可変容量部Ｃ１２と可変容量部Ｃ１３と可変容量部Ｃ１４と可変容量部Ｃ１５と可変容量部Ｃ１６と可変容量部Ｃ１７と可変容量部Ｃ１８と第２固定容量部Ｃ１９とが、順に電気的に直列接続されている。抵抗Ｒ１と抵抗Ｒ３と抵抗Ｒ５と抵抗Ｒ７とが、電気的に並列接続されている。抵抗Ｒ２と抵抗Ｒ４と抵抗Ｒ６と抵抗Ｒ８とが、電気的に並列接続されている。
【０１６８】
そして、抵抗Ｒ１と抵抗Ｒ３と抵抗Ｒ５と抵抗Ｒ７とは、それぞれ第１可変容量取り出し用外部電極５２１から入力されるＡＣ入力信号におけるインピーダンスが、可変容量コンデンサ５００の可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８のインピーダンスよりも十分に高くなるように設計される。
【０１６９】
さらに、抵抗Ｒ２と抵抗Ｒ４と抵抗Ｒ６と抵抗Ｒ８とは、第１可変容量取り出し用外部電極５２１から入力されるＡＣ入力信号におけるインピーダンスが、可変容量コンデンサ５００の可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８のインピーダンスよりも十分に高くなるように設計される。
【０１７０】
第１固定容量部Ｃ１１の容量は、可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８のそれぞれの容量に対して１．８倍以上であり、第２固定容量部Ｃ１９の容量は、可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８のそれぞれの容量に対して１．８倍以上であるように設計されている。
第２の実施の形態の場合、入力側の第１固定容量部Ｃ１１と出力側の第２固定容量部Ｃ１９とのそれぞれの容量は６５０ｎＦ、可変容量部Ｃ１２と可変容量部Ｃ１７と可変容量部Ｃ１８とのそれぞれ容量は３３０ｎＦとした。抵抗Ｒ１と抵抗Ｒ２と抵抗Ｒ３と抵抗Ｒ４と抵抗Ｒ５と抵抗Ｒ６と抵抗Ｒ７と抵抗Ｒ８と抵抗Ｒ９とのそれぞれの抵抗値は１ＭｅｇΩとした。
【０１７１】
従って、第１容量制御用共通外部導体８１０から第１容量制御用外部電極電圧が、それぞれの抵抗Ｒ１と抵抗Ｒ３と抵抗Ｒ５と抵抗Ｒ７とを介して、可変容量コンデンサ５００の第１容量制御用外部電極５３１等を含む第１容量制御用外部電極群に印加され、かつ、第２容量制御用共通外部導体８１２から第２容量制御用外部電極電圧が、それぞれの抵抗Ｒ２と抵抗Ｒ４と抵抗Ｒ６と抵抗Ｒ８とを介して、可変容量コンデンサ５００の第２容量制御用外部電極５３５等を含む第２容量制御用外部電極群に印加されることによって、可変容量部Ｃ１２、可変容量部Ｃ１３、可変容量部Ｃ１４、可変容量部Ｃ１５、可変容量部Ｃ１６、可変容量部Ｃ１７および可変容量部Ｃ１８の容量を変化させることができる。
【０１７２】
以上の構成とすることにより、可変容量コンデンサ５００の積層セラミックコンデンサ本体５１０がグリーンシートを用いた誘電体層５４０からなるので、薄膜では不可能な高耐圧を実現できる。従って、可変容量コンデンサ５００の高電圧用途や電源などへの応用が可能になる。
【０１７３】
さらに、積層多層構造とすることで、薄膜では実現が困難な大容量化が可能となる。そして、積層多層構造とすることで同じ容量、耐圧ならば、薄膜構造に比べて、多層化によって低い等価直列抵抗（低ＥＳＲ）による高Ｑが達成でき、かつ、低い等価直列インダクタンス（低ＥＳＬ）による可変容量コンデンサ１００の小型化が達成できる。
【０１７４】
上述した実施形態の説明において、組み合わせ可能な構成を相互に組み合わせてもよい。今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７５】
１００，５００  可変容量コンデンサ
１０１，５０１  第１主面
１０２，５０２  第２主面
１０３，５０３  第１側面
１０４，５０４  第２側面
１０５，５０５  第１端面
１０６，５０６  第２端面
１１０，５１０  コンデンサ本体
１２１，５２１  第１可変容量取り出し用外部電極
１２２，５２２  第２可変容量取り出し用外部電極
１３１，１３２，１３３，１３４，１３５，５３１，５３２，５３３，５３４  第１容量制御用外部電極
１３６，１３７，１３８，１３９，５３５，５３６，５３７，５３８  第２容量制御用外部電極
１４０，５４０  誘電体層
２１１，６１１  第１内部電極
２１１ａ，６１１ａ  第１対向部
２１１ｂ，６１１ｂ  第１引出し部
２１２，６１２  第２内部電極
２１２ａ，６１２ａ  第２対向部
２１２ｂ，６１２ｂ  第２引出し部
２３１，２３２，２３３，２３４，２３５，６３１，６３２，６３３，６３４  第３内部電極
２３１ａ，２３２ａ，２３３ａ，２３４ａ，２３５ａ，６３１ａ，６３２ａ，６３３ａ，６３４ａ  第３対向部
２３１ｂ，２３２ｂ，２３３ｂ，２３４ｂ，２３５ｂ，６３１ｂ，６３２ｂ，６３３ｂ，６３４ｂ  第３引出し部
２３６，２３７，２３８，２３９，６３５，６３６，６３７，６３８  第４内部電極
２３６ａ，２３７ａ，２３８ａ，２３９ａ，６３５ａ，６３６ａ，６３７ａ，６３８ａ  第４対向部
２３６ｂ，２３７ｂ，２３８ｂ，２３９ｂ，６３５ｂ，６３６ｂ，６３７ｂ，６３８ｂ  第４引出し部
３４０，７４０  第１金属端子
３４１，７４１  第２金属端子
３４０ａ，３４１ａ，７４０ａ，７４１ａ  端子接合部
３４０ｂ，３４１ｂ，７４０ｂ，７４１ｂ  位置決め部
３４０ｃ、３４１ｃ，７４０ｃ、７４１ｃ  実装部
３４２，７４２  第３金属端子
３４３，７４３  第４金属端子
３４２ａ，３４３ａ，７４２ａ，７４３ａ  端子接合部
３４２ｂ，３４３ｂ，７４２ｂ，７４３ｂ  延長部
３４２ｃ，３４３ｃ，７４２ｃ，７４３ｃ  実装部
４１０，８１０  第１容量制御用共通外部導体
４１２，８１２  第２容量制御用共通外部導体
Ｈ  積層方向
Ｌ  長さ方向
Ｗ  幅方向
Ｓ１，Ｓ２  ギャップ領域
Ｃ１，Ｃ１１  第１固定容量部
Ｃ１０，Ｃ１９  第２固定容量部
Ｃ２，Ｃ３，Ｃ４，Ｃ５，Ｃ６，Ｃ７，Ｃ８，Ｃ９、Ｃ１２，Ｃ１３，Ｃ１４，Ｃ１５，Ｃ１６，Ｃ１７，Ｃ１８  可変容量部
Ｒ１，Ｒ２，Ｒ３，Ｒ４，Ｒ５，Ｒ６，Ｒ７，Ｒ８、Ｒ９  抵抗
【図１】
2018022780.tif 000003
【図２】
2018022780.tif 000004
【図３】
2018022780.tif 000005
【図４】
2018022780.tif 000006
【図５】
2018022780.tif 000007
【図６】
2018022780.tif 000008
【図７】
2018022780.tif 000009
【図８】
2018022780.tif 000010
【図９】
2018022780.tif 000011
【図１０】
2018022780.tif 000012
【図１１】
2018022780.tif 000013
【図１２】
2018022780.tif 000014
【図１３】
2018022780.tif 000015
【図１４】
2018022780.tif 000016
【図１５】
2018022780.tif 000017
【図１６】
2018022780.tif 000018
【図１７】
2018022780.tif 000019
【図１８】
2018022780.tif 000020